(57)【特許請求の範囲】
【請求項１】
電話網の端末から無線基地局を介して呼び出され、
前記端末から呼び出された際に、ページャ利用者が呼び出されことを確認したことを入力する手段と、
入力されたデータを変換し、受信確認情報として、前記無線基地局に送信する手段とを有する応答機能付きページャを呼び出すページャシステムにおいて、
このページャシステムは、
電話網の交換機に接続されたページャ制御局と、
前記ページャと無線で信号をやり取りする無線基地局とを備え、
この無線基地局は、
移動体電話無線基地局、ＰＨＳ無線基地局、ページャ無線基地局のいずれかであって、
受信確認情報送受信部と、
受信確認情報を解析するデータ処理部とを有し、
前記ページャからの受信確認情報を受信した際に、
その受信確認情報から、そのページャの属するページャ会社を検索して、
検索されたページャ会社のページャ制御局に、その受信確認情報を転送することを特徴とするページャシステム。
【請求項２】
前記応答機能付きページャは、前記端末から呼び出された際に、
ページャ利用者が呼び出されことを確認したことに加えて、それに関連するメッセージを入力する手段をさらに有することを特徴とする請求項１記載のページャシステム。
【請求項３】
請求項１記載のページャシステムを構成する無線基地局であって、
前記データ処理部に、番号展開テーブルを有し、
この番号展開テーブルを参照することにより、
前記受信確認情報から、前記ページャの属するページャ会社を検索して、
検索されたページャ会社のページャ制御局に、その受信確認情報を転送することを特徴とする請求項１記載のページャシステムに関連する無線基地局。
【請求項４】
請求項１記載のページャシステムを構成する無線基地局であって、
前記データ処理部に、番号展開テーブルを有し、
さらに、この無線基地局に対する着信は、着信識別子を有し、
前記番号展開テーブルを参照することにより、
その着信識別子が、ページャから受信したことを表すときは、前記ページャ制御局と前記受信確認情報の処理をおこない、
その着信識別子が、移動携帯端末から受信したことを表すときは、移動携帯端末との通信処理を、
その着信識別子が、ＰＨＳから受信したことを表すときは、ＰＨＳとの通信処理を、それぞれおこなうことを特徴とする請求項１記載のページャシステムに関連する無線基地局。
【発明の詳細な説明】
【０００１】
【発明の属する技術分野】
本発明は、応答機能付きページャおよびページャシステム、それに関連する無線基地局およびページャ制御局に係り、通常のページャの機能であるページャ利用者を呼び出すことに加えて、呼び出されている相手が受信したか否かを呼出し者に通知することができ、そのことによってページャ利用者および呼出し者のサービス向上に資することのできる応答機能付きページャおよびページャシステム、それに関連する無線基地局およびページャ制御局に関する。
【０００２】
【従来の技術】
近年、電話を通じて相手を呼び出すいわゆる無線呼び出しサービスの利用が普及してきている。
【０００３】
以下、図２０および図２１を用いて、従来技術に係る無線呼び出しサービスのシステム構成について説明する。
【０００４】
図２０は、従来技術に係る無線呼び出しサービスのシステム構成図である。
【０００５】
図２１は、一般的なページャの斜視図である。
【０００６】
呼び出される方は、ページャ１０１（「ポケットベル」とも言う）という小型の無線携帯装置を持っている。呼び出す方では、通常の電話と同じように、一般の電話機で相手の端末番号をダイヤルする。また、一般には、相手にコードにより簡単なメッセージを送れるようになっている。電話網の交換機３０１は、ページャ制御局２０１と接続されていて、この呼び出しは、ページャ無線基地局２１１から電波による呼び出し信号として、ページャ１０１に伝えられる。ページャ１０１は、呼び出し信号を受けると、図２１に示される様に液晶の表示部１０６にメッセージが表示され、図には示されていないがスピーカ１１０より呼び出し音が発せられてページャ利用者に呼び出しがあったことを伝える。また、振動によって、相手に呼び出しがあったことを伝えるバイブレータタイプのページャもある。
【０００７】
ところで、現在のページャの主たる利用目的は、連絡できない相手や所在地が判らない相手に連絡をとる際、ページャを利用して相手にメッセージを送出し、ページャ利用者がそのメッセージを受信して呼び出し者に連絡をとることである。
【０００８】
しかしながら、情報の伝達が一方向であるために、呼び出している相手が確かに、そのメッセージを受信したか否かは、相手からの電話等の別の連絡手段による応答によって初めてわかることになる。
【０００９】
【発明が解決しようとする課題】
上記、ページャを利用した無線呼び出しの利用は、利用方法が簡単であり、ページャが小型でかつ安価であることも手伝って急速に普及してきた。
【００１０】
しかしながら、このページャを利用した無線呼び出しは、情報の伝達が一方向のものであるという根本的な弱点がある。すなわち、ページャ自身に受信した旨を通知する発信機能がないため（オーム社発行  「ＩＳＤＮ時代の移動体通信」Ｐ２４からＰ２９）、ページャ利用者から連絡がないと、ページャの電源がＯＦＦであるのか、その他の理由で受信ができない状態になっているのか、それとも受信しているが連絡することができない状態になっているか、呼び出しているには全く判らないために、呼び出している者にとっては対策の取りようがないという問題点があった。また、不必要に、呼び出し者が、ページャを呼び出してしまうという問題点があった。
【００１１】
本発明は、上記従来技術の問題点を解決するためになされたもので、その目的は、ページャ側が、呼び出されたときに、呼び出し者に対し、受信確認情報を発信できるようにすることにより、呼び出し者は、ページャ側の状況を把握しやすくすることによって、ユーザに対してページャによる無線呼び出しの利便性を高めることのできる応答機能付きページャおよびページャシステムを提供することにある。
【００１２】
【課題を解決するための手段】
上記目的を達成するために、本発明の応答機能付きページャを呼び出すページャシステムに係る発明の構成は、電話網の端末から無線基地局を介して呼び出され、
前記端末から呼び出された際に、ページャ利用者が呼び出されことを確認したことを入力する手段と、 入力されたデータを変換し、受信確認情報として、前記無線基地局に送信する手段とを有する応答機能付きページャを呼び出すページャシステムにおいて、このページャシステムは、電話網の交換機に接続されたページャ制御局と、前記ページャと無線で信号をやり取りする無線基地局とを備え、この無線基地局は、移動体電話無線基地局、ＰＨＳ無線基地局、ページャ無線基地局のいずれかであって、受信確認情報送受信部と、受信確認情報を解析するデータ処理部とを有し、前記ページャからの受信確認情報を受信した際に、その受信確認情報から、そのページャの属するページャ会社を検索して、検索されたページャ会社のページャ制御局に、その受信確認情報を転送するようにしたものである。
【００１３】
より詳しくは、上記応答機能付きページャを呼び出すページャシステムにおいて、前記応答機能付きページャは、前記端末から呼び出された際に、ページャ利用者が呼び出されことを確認したことに加えて、それに関連するメッセージを入力する手段をさらに有するようにしたものである。
【００２１】
上記目的を達成するために、本発明のページャシステムに関連する無線基地局の構成は、上記ページャシステムを構成する無線基地局であって、前記データ処理部に、番号展開テーブルを有し、この番号展開テーブルを参照することにより、前記受信確認情報から、前記ページャの属するページャ会社を検索して、検索されたページャ会社のページャ制御局に、その受信確認情報を転送するようにしたものである。
【００２２】
また他の構成は、上記ページャシステムを構成する無線基地局であって、前記データ処理部に、番号展開テーブルを有し、さらに、この無線基地局に対する着信は、着信識別子を有し、前記番号展開テーブルを参照することにより、その着信識別子が、ページャから受信したことを表すときは、前記ページャ制御局と前記受信確認情報の処理をおこない、その着信識別子が、移動携帯端末から受信したことを表すときは、移動携帯端末との通信処理を、その着信識別子が、ＰＨＳから受信したことを表すときは、ＰＨＳとの通信処理を、それぞれおこなうようにしたものである。
【００３２】
【発明の実施の形態】
以下、本発明に係る各実施形態を、図１ないし図１９を用いて説明する。
〔実施形態１〕
以下、本発明に係る第一の実施形態を、図１ないし図４および図７を用いて説明する。
図１は、本発明に係るページャシステムの構成図である（その一）。
図２は、本発明に係るページャシステムの構成図である（その二）。
図３は、本発明に係るページャシステムの構成図である（その三）。
図４は、本発明に係る応答機能付きページャの回路構成を示すブロック図である。
図７は、本発明の第一の実施形態に係る応答機能付きページャの動作を示すフローチャートである。
【００３３】
第一の実施形態では、本発明の応答機能付きページャとそれを用いたページャシステムの基本的な構成と動作を説明しよう。
先ず、図１により本発明に係るページャシステムの構成について説明する。
【００３４】
ページャシステムは、一般の電話網を前提として構成されるものである。交換局３０１は、回線交換をおこなう電話網の一般的な機器である交換機が設置されている局である。ページャ無線基地局２１１は、ページャと無線で情報とのやりとりをするために設けられる基地であり、無線で交信できる一定の無線ゾーンを有している。各ページャ無線基地局２１１は、ページャ制御局２０１に有線で接続されている。
【００３５】
ページャ制御局２０１は、交換局３０１と各ページャ無線基地局２１１との仲立ちとなり、各ページャ１０１の制御をし、必要な情報をページャ側から受け取って網に渡したり、逆に、ページャ１０１側に必要な情報を発信する。アナウンスマシン２０２は、ページャや加入者の端末に必要な情報を表示するために情報を発信するための装置である。記憶装置２０３は、ページャの制御をおこなうためにページャに関する情報やその他通信に関して必要な情報を記憶する。
【００３６】
次に、図２により本発明に係るページャシステムの他の構成について説明する。
この構成は、ＰＨＳ（Personal Handy Phone System）無線基地局４１１でもページャと情報のやりとりをおこなえるようにしたものである。ＰＨＳ無線基地局４１１は、ＰＨＳ交換局４０１と接続されていて、ＰＨＳは、一般の交換局３０１を介して電話網に接続された端末と通話ができるようになっている。一方、ＰＨＳ交換局２０１は、ページャ制御局２０１とも接続されていて、電話網の加入者１がページャ１０１と情報のやりとりをおこなうときには、ＰＨＳ無線基地局４１１、ＰＨＳ交換局４０１、ページャ制御局２０１、交換局３０１というルートでおこなうことができる。
【００３７】
また、次に、図３により本発明に係るページャシステムのさらに他の構成について説明する。
この構成は、移動通信無線基地局５１１でもページャと情報のやりとりをおこなえるようにしたものである。移動通信無線基地局５１１は、移動通信制御局５０１と接続されていて、携帯電話などの移動通信端末は、移動通信無線基地局５１１、移動通信制御局５０１、移動通信交換局５０２、一般の交換局３０１というルートで、電話網に接続された端末と通話ができるようになっている。
【００３８】
一方、移動通信交換局５０２は、ページャ制御局２０１とも接続されていて、電話網の加入者１がページャ１０１と情報のやりとりをおこなうときには、移動通信無線基地局５１１、移動通信制御局５０１、移動通信交換局５０２、一般の交換局３０１というルートでおこなうことができる。
【００３９】
なお、一般のページャシステムでは、図２と図３に示した構成を混在させることも可能である。
【００４０】
次に、図４に示されるページャの回路構成を参照しつつ、図７のフローチャートの順を追って、ページャとそのシステムの動作について説明していこう。
【００４１】
電話網の加入者（以下、単に「加入者」という。本明細書では、加入者というときには、必ず、ページャを呼び出す方であることに注意する。）１がページャ１０１を呼び出したいとする。先ず、加入者１は、ページャ１０１の端末番号をダイヤルする。交換局３０１はこの番号を受信し、ページャ呼び出しであることを識別し、その番号をページャ制御局２０１に送出する。
【００４２】
ページャ制御局２０１では、端末番号からページャ呼び出し番号に変換する。そして、そのページャ呼び出し番号は、ページャ制御局２０１を経由して各無線基地局２１１へ送信される。各無線基地局２１１は、その無線ゾーン内にあるページャ１０１に向けて、呼び出し情報を電波として送信する（ステップ１０１）。
【００４３】
各ページャ１０１は、その情報を、図４に示されるアンテナ１０２で受信し、その情報を、送受信部１０３に送る（ステップ１０２）。この情報は、変復調部１０４でディジタル信号に変換される（ステップ１０３）。
【００４４】
そして、この信号によってデータ変換部１０５でフレーム同期をとり、検索・マッチング機能１０５ａは、ページャ無線基地局が呼び出している端末番号と自端末番号が一致するか照合する（ステップ１０４）。
【００４５】
その照合の結果、自端末の番号と一致しないときには、新たな呼び出し情報を受信するまでは、ページャ１０１は、待ち状態になる（ステップ１１３）。
【００４６】
一方、その照合の結果、自端末の番号と一致すると、データ変換部１０５の検索・マッチング機能１０５ａは、番号展開テーブル１０５ｂにより、番号展開をおこない、誰からの呼び出しであるかを調べる。ここで、番号展開とは、番号をより詳細に解析して必要な情報を得ることである。
【００４７】
この番号展開より加入者１からの呼び出しであるとわかると、ページャ利用者に加入者１から呼び出しがあったことを知らせるため、図４に示されるスピーカー１１０から呼び出し音を送出する（ステップ１０５）。ページャ利用者は、この呼び出し音により加入者１から呼び出しがあったことを認識するであろう（ステップ１０６）。
【００４８】
呼び出し音を送出に引き続いて、データ変換部１０５は、その情報をページャデータ部１０８に送信して、ページャデータ部１０８が情報表示部１０６に表示できるフォーマットに変換する。そして、情報表示部１０６の呼出し表示機能１０６ａが呼び出しがあったことを表示する。（ステップ１０７）。これらのページャの動作により、ページャ利用者は、加入者１から呼び出しを受け、呼び出し情報を受信し、その内容を認識することができる（ステップ１０８）。
【００４９】
さて、従来技術によるページャでは、ここから呼び出しを受けたページャ利用者は、他の電話を利用して加入者１と連絡をとることになる。したがって、加入者１は、それまではページャ利用者が呼び出しを認識したことを確認するすべがなく、ページャ利用者にとっても必ず電話をしなければならないので不便である。
【００５０】
これに反し、本発明に係る応答機能付きページャは、ページャ側から加入者に対して、情報を発信しうるものである。
【００５１】
すなわち、呼び出されたことを認識したページャ利用者は、受信確認した旨をデータ入力部１０７の受信確認情報入力機能１０７ａにより入力する（ステップ１０９）。また、このとき必要ならば、メッセージ入力機能１０７ｂによりページャ側からメッセージも入力することができる。
【００５２】
次に、ページャは、ページャデータ部１０８で入力された情報をコード化する（ステップ１１０）。そして、データ変換部１０５においてコード化された受信確認情報を、送信単位であるフレームに挿入される（ステップ１１１）。フレームは、図４に示される変復調部１０３で変調され、送受信部１０３によって、アンテナ１０２から送信する（ステップ１１２）。
【００５３】
このような受信確認情報を送信することの制御と同期は、制御部１０９の邪心確認情報制御機能１０９ａとメッセージ制御機能１０９ｂによってなされる。
【００５４】
以上の様にして、ページャ利用者が加入者からの呼び出しを受け、確かに呼び出し情報を受信した旨の受信確認情報を加入者１に対して送信することができる。また、簡単なメッセージを入力し、加入者１に発すれば、呼び出しを受けたページャ利用者の方から、あえて電話をする必要もなくなるというメリットもある。
【００５５】
〔実施形態２〕
以下、本発明に係る第二の実施形態を、図１、図３、図５、図６、図８ないし図１５を用いて説明する。
図５は、本発明に係るページャ無線基地局または移動無線基地局の回路構成を示すブロック図である。
図６は、本発明に係るページャ制御局の回路構成を示すブロック図である。
図８は、本発明の第二の実施形態に係るページャシステムの無線基地局の動作を示すフローチャートである。
図９は、本発明の第二の実施形態に係るページャシステムとしての動作を示すフローチャートである（その一）。
図１０は、本発明の第二の実施形態に係るページャシステムとしての動作を示すフローチャートである（その二）。
図１１は、本発明の第二の実施形態に係るページャシステムとしての動作を示すフローチャートである（その三）。
図１２は、本発明の第二の実施形態に係るページャシステムとしての動作を示すフローチャートである（その四）。
図１３は、ページャからの受信情報の構成を模式的に示した図である。
図１４は、ページャからの受信情報を具体的なデータに基づいて番号展開する例を示す模式図である。
図１５は、電話番号検索テーブルの一例を示す模式図である。
【００５６】
本実施形態では、上記第一の実施形態をふまえて、本発明に係る応答機能付きページャとそれを用いるページャシステムのより詳細な構成と動作について説明しよう。
【００５７】
以下、テーマ毎に項を分けて説明する。
【００５８】
（I）  移動無線基地局における番号展開とそれに関連する動作
先ず、図３、図５、図８、図１３および図１４を用いて移動通信無線基地局における番号展開とそれに関連する動作について説明する。
本実施形態では、図３に示す移動無線基地局５１１を例に取って説明するが、同様の機能を図２に示すＰＨＳ無線基地局４１１やページャ無線基地局２１１に持たせることも可能である。
【００５９】
以下、適宜、図３および図５を参照しながら図８の順を追って説明しよう。
【００６０】
移動無線基地局５１１は、端末からリンクチャネル確立要求信号が来るのを待っている（ステップ２０１）。
【００６１】
一方、ページャからは、図１３に示すようなフォーマットの情報が電波として送信される。
【００６２】
移動無線基地局５１１は、その電波を図５に示されるアンテナ６１１で受け、送受信部６１２で受信する（ステップ２０２）。
【００６３】
そして、受信した信号は、変復調部６１３で復調され、ディジタル信号に変換される（ステップ２０３）。次に、引き続いてデータ処理部６１４の検索マッチング機能６１４ａにより、番号展開テーブル６１４ａを参照してその受信した信号がページャ１０１からの信号であるかを識別子で確認する（ステップ２０４）。この識別子というのは、図１３に示されるページャからの受信確認情報のページャから着信通知識別子の「ＡＢ」である。図１４に示されている例では、この部分は、「０１」である。この例では、番号展開１のテーブルにより、信号の発信元が、ページャであることがわかる。この判断は、図５に示されるデータ処理部６１４の検索・マッチング機能６１４ａでなされる。なお、ページャではない他の移動電話のような携帯端末から信号を受信しているときには、通常の処理がなされることになる（ステップ２０９）。
【００６４】
データ処理部６１４で上記のように識別子の内容が確認された結果、ページャからの受信確認信号であることが判ると、引き続き、番号展開テーブル６１４ｔを参照して、ページャ番号の属性を調べる（ステップ２０５）。これは、図１３に示されるページャの属性コードとして表記されている「ＣＤ」である。図１４に示されている例としては、「０１」であり、この値が番号展開２のテーブルと照合されて、ページャの属する会社が、ページャ会社Ｂであることがわかる（ステップ２０６）。このようにして移動無線基地局５１１が受信した受信確認情報は、ページャ会社Ｂのページャ１０１からの情報であることがわかると、この受信確認情報をデータ処理部６１４で情報フレームに挿入して、無線基地局Ｉ／Ｆ６１６から、移動通信制御局５０１と移動通信交換局５０２を経て、該当するページャ会社のページャ制御局２０１へ送信する（ステップ２０７）。
【００６５】
上記のようにして、無線基地局がページャからの受信確認情報を受信することができ、なおかつ受信したデータを該当するページャ会社のページャ制御局２０１への送信が可能となる。したがって、そのページャ会社は呼び出しているページャが受信したことがわかり、それを呼び出している加入者に伝えることによって、加入者は、ページャが呼び出しを受信したことを確認することができる。
【００６６】
（II）  呼び出し信号をページャが受信し、受信した旨を加入者に対して応答するまでのページャシステムの動作
次に、図１、図６、図９、図１０、図１３ないし図１５を用いて呼び出し信号をページャが受信し、受信した旨を加入者に対して応答するまでのページャシステムとしての動作を説明する。
【００６７】
（II-1）  正常に加入者１がページャからの受信確認情報を受け取る場合
以下、（II-1）の場合について図９および図１０の順を追って説明しよう。
加入者１がページャ１０１を呼び出したいとする。先ず、加入者１は、ページャ１０１の端末番号をダイヤルする（ステップ３０１）。交換局３０１は、この番号を受信し、ページャ呼び出しであることを識別して、その番号をページャ制御局２０１に送出する（ステップ３０２）。
【００６８】
次に、ページャ制御局２０１は、対交換局Ｉ／Ｆ７１６を介してこれを受け、データ処理部７１２は、その端末番号をページャ呼び出し番号に変換する（ステップ３０３）。そして、変換されたページャ呼び出し番号は、対無線基地局Ｉ／Ｆ７１１を経由して各無線基地局へ送信される。また、送信と同時に、制御部７１３の中のタイマ制御７１３ｂによりページャ制御局２０１内のタイマー７１４が起動される（ステップ３０４）。
【００６９】
各ページャ無線基地局２１１は、呼び出し番号とメッセージを含んだ呼び出し情報を各ページャに向けて送信する。
【００７０】
一方、ページャ制御局では、呼び出しをおこなっている加入者１に対して、アナウンスマシン制御７１３ｃにより、アナウンスマシン２０２からアナウンスで現在呼び出し中であると送信する（ステップ３０５）。
【００７１】
各ページャ１０１は、各ページャ無線基地局２１１からの情報を受け、自端末が呼び出されているか否かを、呼び出された端末番号と自端末の番号と照合することにより判定する。この照合結果、自ページャが呼び出されている事がわかると、図４に示される情報表示部１０６またはスピーカー１１０でページャ利用者に通知をおこなう。利用者はこの通知より、加入者１からの呼び出しであることがわかる。
【００７２】
そして、ページャ利用者は、ページャ１０１で呼び出し情報を受信確認した旨を、図４に示されるデータ入力部１０７の受信確認情報入力機能１０７ａから入力する。この入力された情報は、ページャデータ部１０８を介してデータ変換部１０５でコード化される。
【００７３】
次に、このデータ変換部１０５においてコード化された受信確認情報は、情報の伝送単位であるフレームに挿入され、変復調部１０４で変調されて、送受信部１０３を経て、アンテナ１０２から電波として送信されることになる。この電波として発せられた信号は、そのページャ１０１が無線ゾーン内に含まれているページャ無線基地局２１１にて、ページャからの受信確認情報として受信される。
【００７４】
ページャからの受信確認情報は、実施形態１と同様、図１３に示されたものを例として挙げることができる。
【００７５】
ページャ無線基地局２１１では、受信確認情報として送られてきた信号がページャからの信号であるか識別子で確認する（ステップ３０６）。この識別子というのは、受信確認情報のページャから着信通知識別子であり、図１４に示される番号展開１のテーブルによって、信号の発信元としてページャを検索することは、（I）で記載したのと同様である。
【００７６】
ページャ無線基地局２１１で着信通信識別子の内容を確認した結果、ページャからの受信確認信号であることが判ると、次に、データ処理部６１４の検索・マッチング機能６１４ａにより番号展開テーブル６１４ｔを参照して、ページャ番号の属性を調べる（ステップ３０７）。そして、その照合結果より、ページャの属する会社とページャの端末番号を得ることができる。この検索は、図１４で示した番号展開２のテーブル展開によっておこなう。
【００７７】
そして、この結果により、所属するページャ制御局２０１にページャからの着信を確認したことを通知する（ステップ３０８）。
【００７８】
これを受けたページャ制御局２０１の制御部７１３は、各ページャ無線基地局２１１に対して該当するページャの呼び出し停止を命令する（ステップ３０９)。それと同時に、タイマ制御７１３ｂがタイマ７１４の停止とリセットをおこなう。
【００７９】
一方、ページャ制御局２０１は、対無線基地局Ｉ／Ｆを介してページャ無線基地局２１１に対してページャ１０１からの受信確認情報の送信要求をおこなう。これを受け、ページャ無線基地局２１１は、ページャ１０１から受けた受信確認情報をページャ制御局２０１へ転送する（ステップ３１０）。
【００８０】
ページャ制御局２０１は、加入者１からの発信が通常の呼び出しか回線の切断要求か再呼び出しであるかを判定している（ステップ３１１）。この発信の種類によりページャ制御局２０１の動作が異なるので、加入者１からの発信が回線の切断要求か再呼び出しであるときは、後述する。
【００８１】
加入者１からの発信が通常の呼び出しであるときは、以下の処理をおこなう。
【００８２】
ページャ制御局２０１のデータ処理部７１２は、検索・マッチング機能７１２ａによりページャ無線基地局２１１から転送されてきたページャ１０１の受信確認情報を基に、図６と図１５に示される電話番号検索テーブル７１２ｓから、端末番号より加入者１（ページャの呼出者）の電話番号（以下、これを「加入者番号」という）を検索する。
【００８３】
ページャ制御局２０１のデータ処理部７１２では、必要ならば、番号展開テーブル７１２ｔの番号展開３と番号展開４に示されているようにデータの変換をおこなって（ステップ３１３）、対交換局Ｉ／Ｆ７１６を介してその加入者番号の加入者に対し、呼び出したページャ１０１から応答があった旨と受信確認情報（メッセージ）を送出する（ステップ３１３）。この結果、加入者１はページャ１０１が受信した（ステップ３１４）ことを確認することができる。
【００８４】
（II-2）  ページャ無線基地局２１１がページャから一定時間、着信がなかった場合
以下、（II-2）の場合について図９および図１０の順を追って説明しよう。
ページャ無線基地局２１１で、加入者１の呼び出しを各ページャに対して発信する際に、ページャ制御局２０１の制御部７１３のタイマ制御７１３ｂによって、タイマ７１４が起動され、ページャから応答があるか否かを監視している（ステップ３１１）。
【００８５】
そして、一定の時間内に応答がなく、その時間内に呼び出しているページャ１０１からの受信確認信号を受信していない場合には、ページャ制御局２０１の制御部７１３は、各無線基地局２０１に、対無線基地局Ｉ／Ｆ７１１を介してそのページャ１０１の呼び出し停止を命令する。と同時に、タイマ７１４の停止とリセットをおこなう。なお、加入者１からの呼び出しが再呼び出しであるかそうでないときには、動作が異なるが（ステップ３１６）、加入者１からの呼び出しが再呼び出しのときの動作は後述する。
【００８６】
この命令を受信した各無線基地局は、そのページャ１０１の呼び出しを止める（ステップ３０９）。そして、ページャ制御局２０１は、この場合には、ある一定時間呼び出してもそのページャ１０１からの受信確認情報を受信していないことになるので、制御部７１３のアナウンスマシン制御７１３ｃによりアナウンスマシン２０２を制御して加入者１に対して、対交換局Ｉ／Ｆ７１６を介してそのページャ１０１からの受信確認がなく、応答がない旨のアナウンスを送信する（ステップ３１８）。
【００８７】
加入者１は、そのアナウンスを受信することにより、加入者１が呼び出しているページャ１０１からの応答がないことがわかる。
【００８８】
（II-3）  加入者１が再呼び出しをおこなう場合
以下、（II-3）の場合について図１０ないし図１１の順を追って説明しよう。
ステップ３１８で、加入者１に対して、呼び出しているページャ１０１からの応答がない旨のアナウンスを通知した後に、引き続いてページャ制御局２０１から加入者１へそのページャに対して再呼び出しするか否かを選択させる旨のアナウンスを送信する（ステップ３１９）。
【００８９】
このアナウンスにより加入者の端末には、再呼び出しを希望するか否かの表示がなされるので、加入者１は、それに従って再呼出しを希望するか否かを選択する。
【００９０】
（Ａ）加入者１が再呼び出しを希望する場合
加入者１が再呼び出しを希望する場合、例えば、”＃１”をダイヤルする。このダイヤル情報は、交換局３０１を介してページャ制御局２０１に送信される。ページャ制御局２０１が、対交換局Ｉ／Ｆ７１６を介してこれを受け取り、加入者１が再呼び出しを希望することが判ると、制御部７１３内の再呼出し制御７１３ａは、加入者１に対して、回線を保留してページャ１０１からの受信確認情報がページャ無線基地局２０１で受信されるまでこの状態で待つか、それとも一旦回線を切断してページャ１０１から受信確認情報をページャ無線基地局２１１が受信した時点でこの情報を通知してもらうかを、選択させる（ステップ３２０）。
【００９１】
（Ａ−１）加入者１が回線を保留して、ページャからの受信を待つことを選択した場合
加入者１が前者を希望する意味の例えば、”＃１１”とダイヤルすると、ページャ制御局２０１内の制御部７１３の再呼出し制御７１３ａは、これに従って回線を保留したまま再呼び出しする。
【００９２】
そして、この場合には、再呼び出しするページャ番号に対応して、再呼び出しを示す識別子を加入者に入力させる（ステップ３３０）。また、再呼出し制御７１３ａは、再呼び出しの回数を示すカウンタ７１５を起動する（ステップ３３１）。そして、そのページャ１０１の再呼出しをおこなうように、各ページャ無線基地局２１１に通知する。
【００９３】
各ページャ無線基地局２１１は、この通知より、（II-2）で説明したようにページャ制御局２０１内に設けたタイマ７１４に従って、ある一定間隔で呼出しを繰り返す（ステップ３０４）。
【００９４】
一方、加入者１に対しては、（II-1）で説明したようにアナウンスマシン２０２によって、アナウンスして、現在呼び出し中であることを通知する（ステップ３０５）。
【００９５】
そして、呼び出しているページャ１０１からの応答をページャ無線基地局２１２が受信した場合（ステップ３０６）、（II-2）で説明したように加入者１に通知をおこなう（ステップ３０７ないしステップ３１０、ステップ３２１ないしステップ３２６）これにより加入者１は、そのページャ１０１が応答したことが判る。
【００９６】
（Ａ−２）加入者１が回線を切断して、ページャから呼び出しがあったときに再接続することを選択した場合
加入者１が後者を選択したときには、ページャ制御局２０１は、対交換局Ｉ／Ｆ７１６を介して加入者１に対して、再呼び出しメッセージの登録要求を行なう（ステップ３３４）。この要求を受けて、加入者１が端末より再呼び出しメッセージを送信する。そして、ページャ制御局２０１は、局内にある記憶装置２０３に保存する（ステップ３３５）。
【００９７】
また、それに引き続いて、加入者１に対しページャ１０１が受信完了した旨の信号を受けた場合の通知先の電話番号をダイヤルするよう要求する(ステップ３３６）。加入者１は、それに応じて希望通知先電話番号をダイヤルする。
【００９８】
ページャ制御局２０１は、ダイヤルされた電話番号を受信し（ステップ３３７）、一旦回線を切断して、ページャ１０１を再呼出しをおこなうので、アナウンスマシン２０２を介して、加入者１に対して、端末をＯＮ−ＨＯＯＫするように通知する（ステップ３３８）。
【００９９】
加入者１は、このアナウンスを受けてＯＮ−ＨＯＯＫする（ステップ３３９）。
【０１００】
そして、（Ａ−１）で説明した手順とほぼ同様に再呼び出しをおこなう（ステップ３０７ないしステップ３１０、ステップ３２１ないしステップ３２６）。ただし、回線接続されたときには、端末は、ＯＮ−ＨＯＯＫ状態になっているので、加入者は、呼び出されたときに、ＯＦＦ−ＨＯＯＫする必要がある（ステップ３２４）。
【０１０１】
ただし、この繰り返して呼出す時間と繰り返し呼び出し回数には制限を設けておき、再呼び出しの規定回数を越えた場合には、ページャ制御局２０１内の制御部７１３ａの再呼出し制御７１３ａは、各ページャ無線基地局２１１に対して、そのページャ１０１に対する再呼び出しを止めるように通知する（ステップ３１１、ステップ３１６、ステップ３２７およびステップ３２８）。この通知を受信した各ページャ無線基地局２１１は、そのページャ１０１に対する再呼び出しを停止する。
【０１０２】
一方、この場合には、ページャ制御局２０１は、加入者１に対して、一定時間、一定回数、再呼出しをおこなっても、そのページャ１０１からの応答が無いため、再呼び出しを止めた旨のアナウンスをアナウンスマシン２０２を介して通知先に送出するようにする（ステップ３２９）。
【０１０３】
これにより、加入者１は、再呼び出しをおこなっても、相手にメッセージが届かなかった。
【０１０４】
（Ｂ）加入者１が再呼び出しを希望しない場合
一方、特に、加入者１が再呼び出しを希望しない場合、例えば、”＊１”をダイヤルする。
【０１０５】
ページャ制御局２０１の制御部７１３は、この信号を受信すると、加入者１に対してページャ１０１を再呼び出しをおこなわないので、対交換局Ｉ／Ｆ７１６は、ＯＮ−ＨＯＯＫするようアナウンスマシン２０２より通知する（ステップ３３２）。
【０１０６】
加入者１は、これに従いＯＮ−ＨＯＯＫをおこなうことになる(ステップ３３３）。
【０１０７】
以上、この（II-3）で説明してきたように、加入者１がページャ１０１からの応答が無い場合でも、ページャ制御局２０１が、再度ページャ１０１に対する呼び出しをおこなってくれるために、加入者１にとっては、再ダイヤルして呼び出しをおこなうことと、メッセージを再入力する必要がなくなるという利点がある。
【０１０８】
（II-4）  呼出しメッセージのページャシステム内の記憶装置に保存について
以下、（II-4）の事項について図１２を用いて説明する。
（II-3）で説明したように、加入者１が再呼び出しを選択したときには、ページャ制御局２０１は、各ページャ無線基地局２１１に対して再呼び出しをおこなうように命令する。
【０１０９】
一方、ページャ制御局２０１のデータ処理部７１２は、加入者１が呼び出しているページャ１０１に送信する呼出しメッセージを、ページャ制御局２０１内の記憶装置２０３に保存する（ステップ３３７）。そして、再呼び出しのときにこの呼び出しメッセージ２０３ｍを使って、ページャ無線基地局２１１を介してページャを呼び出すことになる。これにより、加入者１は、再呼出しの際に新たに呼出しメッセージを入力する必要がなくなる。
【０１１０】
また、この呼び出しメッセージは、ページャ１０１を呼び出している間は、記憶装置２０３に保存されている。そして、再呼び出しされているページャ１０１から受信確認情報をページャ無線基地局２１１が受信した場合には、（II-1）で述べている処理の流れで加入者１に通知する。
【０１１１】
そして、（II-3）で説明したように規定の再呼び出し回数を越えると、加入者１へその旨を通知するのであるが、ページャ制御局２０１は、記憶装置２０３のそのぺージャ１０１に対する呼出しメッセージの消去をおこなう。これは、その呼び出しメッセージが不要のものになったからである。
【０１１２】
〔実施形態３〕
以下、本発明に係る第三の実施形態を、図２、図１６ないし図１９を用いて説明する。
第二の実施形態では、ページャと直接、電波をやり取りする無線基地局がページャ無線基地局２１１であったが、本実施形態では、ページャ無線基地局以外の、例えば、ＰＨＳ無線基地局４１１とページャが電波をやり取りするときのページャシステムとしての動作について説明しよう。
【０１１３】
図１６は、本発明の第三の実施形態に係るページャシステムとしての動作を示すフローチャートである（その一）。
図１７は、本発明の第三の実施形態に係るページャシステムとしての動作を示すフローチャートである（その二）。
図１８は、本発明の第三の実施形態に係るページャシステムとしての動作を示すフローチャートである（その三）。
図１９は、本発明の第三の実施形態に係るページャシステムとしての動作を示すフローチャートである（その四）。
【０１１４】
特に、本実施形態の説明では、実施形態２との相違を主眼として、図１６ないし図１９の順を追って説明していくことにする。
【０１１５】
加入者１がページャ１０１を呼び出し、ページャ１０１が呼び出し信号を受信するまでは、実施形態１の（II-1）に示す処理と同様である（ステップ４０１ないし４０５）。
【０１１６】
そして、ページャ１０１が呼び出し信号を受信確認した旨の受信確認情報を、図４に示す送受信部１０３を経てアンテナ１０２より送信すると、この信号は、そのページャ１０１を無線ゾーンに含むＰＨＳ無線基地局４１１で、受信される。この受信確認情報は、実施形態２で図１３により説明したものと同様である。
【０１１７】
ＰＨＳ無線基地局４１１では、この信号がページャからの信号であるか識別子で確認する（ステップ４０６）。また、図１４に示される番号展開１のテーブルにより、ページャからの信号であることを判定する手順も実施形態２と同様である。
【０１１８】
このようにＰＨＳ無線基地局４１１で、着信識別子の確認した結果、ページャからの受信確認情報であることがわかると、次に、このデータをＰＨＳ交換局４０１へ転送する。
【０１１９】
ＰＨＳ交換局４０１では、ページャからの受信確認情報よりページャ番号の属性を調べる（ステップ４０７）。ページャ番号の属性を調べ、図１４に示される番号展開２のテーブルにより、ページャの属する会社を検索する手順も実施形態２と同様である。
【０１２０】
ＰＨＳ交換局４０１は、この受信確認情報を該当するページャ会社のページャ制御局２０１へ転送する（ステップ４０９）。
【０１２１】
この情報を受信したページャ制御局２０１内のデータ処理部７１２は、番号展開テーブル７１２ｔの番号展開２のテーブルによる検索によって、呼び出しをおこなっている端末番号も知ることができる（ステップ４１０）。
【０１２２】
さらに、データ処理部７１２の検索・マッチング機能７１２ａにより、番号展開テーブル７１２ｔを参照してＰＨＳ交換局４０１からのページャ１０１の受信確認情報を基に番号展開をおこない、図１５に示される電話番号検索テーブルによって、ページャ制御局２０１内の記憶装置２０３においてページャ１０１の呼び出しを行なっている加入者の検索をおこなう（図１５）。
【０１２３】
その検索結果より、ページャの端末番号と組となっている加入者番号が判ると、その加入者番号の加入者１に対して、呼び出したページャ１０１から応答があった旨と受信情報（メッセージ）を送出する（ステップ４１４）。
【０１２４】
加入者１は、ページャ利用者が呼び出しを確認した（ステップ４１５）ことを確かめることができる。
【０１２５】
本実施形態では、ページャ１０１とＰＨＳ無線基地局４１１が電波をやり取りする例を示したが、同様に、図３に示す移動通信通信網の移動通信無線基地局５１１が同様にページャ１０１と電波をやり取りし、ページャ１０１からの受信確認情報を加入者１に伝えることができる。この場合には、移動通信制御局５０１、移動通信交換局５０２を介して、同様な処理手順で加入者１に通知をおこない、加入者１がページャが加入者１からの呼び出しを受信したことを確認することになる。
【０１２６】
【発明の効果】
本発明によれば、ページャ側が、呼び出されたときに呼び出し者に対し、受信確認情報を発信できるようにすることにより、呼び出し者は、ページャ側の状況を把握しやすくすることによって、ユーザに対してページャによる無線呼び出しの利便性を高めることのできる応答機能付きページャおよびページャシステムを提供することができる。
【図面の簡単な説明】
【図１】本発明に係るページャシステムの構成図である（その一）。
【図２】本発明に係るページャシステムの構成図である（その二）。
【図３】本発明に係るページャシステムの構成図である（その三）。
【図４】本発明に係る応答機能付きページャの回路構成を示すブロック図である。
【図５】本発明に係るページャ無線基地局または移動無線基地局の回路構成を示すブロック図である。
【図６】本発明に係るページャ制御局の回路構成を示すブロック図である。
【図７】本発明の第一の実施形態に係る応答機能付きページャの動作を示すフローチャートである。
【図８】本発明の第二の実施形態に係るページャシステムの無線基地局の動作を示すフローチャートである。
【図９】本発明の第二の実施形態に係るページャシステムとしての動作を示すフローチャートである（その一）。
【図１０】本発明の第二の実施形態に係るページャシステムとしての動作を示すフローチャートである（その二）。
【図１１】本発明の第二の実施形態に係るページャシステムとしての動作を示すフローチャートである（その三）。
【図１２】本発明の第二の実施形態に係るページャシステムとしての動作を示すフローチャートである（その四）。
【図１３】ページャからの受信情報の構成を模式的に示した図である。
【図１４】ページャからの受信情報を具体的なデータに基づいて番号展開する例を示す模式図である。
【図１５】電話番号検索テーブルの一例を示す模式図である。
【図１６】本発明の第三の実施形態に係るページャシステムとしての動作を示すフローチャートである（その一）。
【図１７】本発明の第三の実施形態に係るページャシステムとしての動作を示すフローチャートである（その二）。
【図１８】本発明の第三の実施形態に係るページャシステムとしての動作を示すフローチャートである（その三）。
【図１９】本発明の第三の実施形態に係るページャシステムとしての動作を示すフローチャートである（その四）。
【図２０】従来技術に係る無線呼び出しサービスのシステム構成図である。
【図２１】一般的なページャの斜視図である。
【符号の説明】
１…ページャを呼び出す加入者（加入者）
１０１…ページャ利用者（ページャ）
１０２…アンテナ
１０３…送受信部
１０４…変復調部
１０５…データ変換部
１０５ａ…検索・マッチング機能
１０５ｔ…番号展開テーブル
１０６…情報表示部
１０６ａ…呼出し表示機能
１０６ｂ…入力メッセージ表示機能
１０７…データ入力部
１０７ａ…受信確認情報入力機能
１０７ｂ…メッセージ入力機能
１０８…ページャデータ部
１０９…制御部
１０９ａ…受信確認情報制御
１０９ｂ…メッセージ制御
１１０…スピーカー
２０１…ページャ制御局
２０２…アナウンスマシン
２０３…記憶装置
２０３ｍ…呼出しメッセージ
２１１…ページャ無線基地局
３０１…交換局
４０１…ＰＨＳ交換局
４１１…ＰＨＳ無線基地局
５０１…移動通信制御局
５０２…移動通信交換局
５１１…移動通信無線基地局
６１１…アンテナ
６１２…送受信部
６１３…変復調部
６１４…データ処理部
６１４ａ…検索・マッチング機能
６１４ｔ…番号展開テーブル
６１５…制御部
６１６…無線基地局Ｉ／Ｆ
７１１…対無線基地局Ｉ／Ｆ
７１２…データ処理部
７１２ａ…検索マッチング機能
７１２ｔ…番号展開テーブル
７１２ｓ…電話番号検索テーブル
７１３…制御部
７１３ａ…再呼出し制御
７１３ｂ…タイマ制御
７１３ｃ…アナウンスマシン制御
７１４…タイマ
７１５…カウンタ
７１６…対交換局Ｉ／Ｆ
【図１】
0003665154.tif 000002
【図２】
0003665154.tif 000003
【図３】
0003665154.tif 000004
【図４】
0003665154.tif 000005
【図５】
0003665154.tif 000006
【図６】
0003665154.tif 000007
【図７】
0003665154.tif 000008
【図８】
0003665154.tif 000009
【図９】
0003665154.tif 000010
【図１０】
0003665154.tif 000011
【図１１】
0003665154.tif 000012
【図１２】
0003665154.tif 000013
【図１３】
0003665154.tif 000014
【図１４】
0003665154.tif 000015
【図１５】
0003665154.tif 000016
【図１６】
0003665154.tif 000017
【図１７】
0003665154.tif 000018
【図１８】
0003665154.tif 000019
【図１９】
0003665154.tif 000020
【図２０】
0003665154.tif 000021
【図２１】
0003665154.tif 000022